(57)【要約】【課題】バーストカッティング（以下ＢＣＡと略する）読み取り装置いおいて、ＣＡＶ制御が不要で、かつ狭い幅の記録でも読み取りを可能にする。【解決手段】主情報読み取り時は２値信号の位相に同期したクロックを生成し、ＢＣＡ読み取り時は主情報読み取り時の周波数を保持するＰＬＬ３０５と、ＢＣＡ読み取り時に前記クロックを基準に２値信号からＲＦ信号欠落部分を検出する時間比較回路３０７と、記時間比較回路３０７で検出したＲＦ信号欠落部分間の時間を計測し復調するＢＣＡ復調回路３０８とを設ける。これにより、ＢＣＡ近傍での主情報読み取り時の回転駆動値とクロック周波数を保持しＢＣＡを読み取ることで、回転数に合ったクロック周波数で検出をするので、正確な回転数にＣＡＶ制御しなくとも、精度良くＲＦ信号欠落部分の検出およびＲＦ信号欠落部分間の時間測定をすることができる。【選択図】図３
2005032391.tif 000002
【特許請求の範囲】
【請求項１】
主情報の他にバーストカッティングエリアを有する光ディスクと、前記光ディスクに照射したレーザーの反射光よりＲＦ信号を生成する光ピックアップと、前記ＲＦ信号を一定のレベルと大小比較して「０」と「１」の２値信号に変換する２値化手段と、主情報読み取り時は前記２値信号の位相に同期したクロックを生成しバーストカッティングエリア読み取り時は主情報読み取り時の周波数を保持する位相同期ループ手段と、バーストカッティングエリア読み取り時に前記クロックを基準に前記２値信号からＲＦ信号欠落部分を検出する時間比較手段と、前記時間比較手段で検出したＲＦ信号欠落部分間の時間を計測し復調するバーストカッティングエリア復調手段と、前記位相同期ループ手段の周波数を主情報読み取り時は保持解除しバーストカッティングエリア読み取り時は保持させる指示を出す制御手段とを備えることを特徴とするバーストカッティングエリア読み取り装置。
【請求項２】
主情報読み取り時は、光ピックアップが線速度一定で光ディスクから読み出すように位相同期ループ手段のクロックよりモータ駆動信号を生成し、バーストカッティングエリア読み取り時は主情報読み取り時の駆動値を保持するＣＬＶ制御回路を設けたことを特徴とする請求項１記載のバーストカッティングエリア読み取り装置。
【請求項３】
主情報読み取り時およびバーストカッティングエリア読み取り時は、光ディスクの回転数を特定はできないが規定範囲以内となる固定駆動値を出力する固定信号発生手段を設けたことを特徴とする請求項１記載のバーストカッティングエリア読み取り装置。
【請求項４】
制御手段は、主情報読み取り時のクロック周波数を検出し、主情報読み取り時とバーストカッティングエリア読み取り時の光ディスクの半径位置の関係からバーストカッティングエリア位置でのクロック周波数を算出し、位相同期ループ手段が保持する周波数を指定することを特徴とする請求項１から請求項３に記載のバーストカッティングエリア読み取り装置。
【発明の詳細な説明】
【技術分野】
【０００１】
本発明は、主情報の他にバーストカッティングエリア（以下ＢＣＡと略する）が付加された光ディスクからＢＣＡを読み出すバーストカッティングエリア読みとり装置に関するものである。
【背景技術】
【０００２】
従来のバーストカッティングエリア読みとり装置として、特許文献１に記載されているものがある。
【０００３】
図５は従来のバーストカッティングエリア読みとり装置の構成を示すものであり、５０１は主情報の他にＢＣＡを有する光ディスク、５０２は光ディスク５０１に照射したレーザーの反射光よりＲＦ信号を生成する光ピックアップ、５０３は光ディスク５０１の半径方向に光ピックアップを移動させる光ピックアップ送り機構、５０４は前記ＲＦ信号を一定のレベルと大小比較して「０」と「１」の２値信号に変換する２値化回路、５０５は主情報読み取り時に前記２値信号の位相に同期したクロックを生成する位相同期ループ手段である位相同期ループ回路（以下ＰＬＬと記す）、５０６は前記２値信号と前記クロックから主情報を復調する主情報復調回路、５１４は前記ＲＦ信号を入力とするローパスフィルタ（以下ＬＰＦと略する）、５１５はＬＰＦ５１４を通過した信号を一定のレベルと大小比較してＲＦ信号欠落部分を検出するレベル比較回路、５１６はレベル比較回路５１５で検出したＲＦ信号欠落部分間の時間を規定の周期を基準に計測しＢＣＡを復調するＢＣＡ復調回路である。
【０００４】
５０９は光ディスク５０１を回転させ、かつ回転数を検出する回転数検出手段５０９ａを含むモータ、５１０はモータ５０９の回転数検出手段５０９ａで検出した回転数を用いて規定の回転数に制御するＣＡＶ制御回路、５１１はＰＬＬ５０５が出力するクロックを用いて規定の線速度に制御するＣＬＶ制御回路、５１２はＣＡＶ制御回路５１０またはＣＬＶ制御回路５１１を選択する選択回路、５１３は光ピックアップ送り機構５０３と選択回路５１２に指示を出すマイクロコンピュータである。
【０００５】
また、図６（ｂ）（ｃ）はＢＣＡ読み取り時に光ピックアップ５０２が生成するＲＦ信号とＬＰＦ５１４通過後の信号波形であり、検出レベルＡはレベル比較回路５１５がＲＦ信号欠落部分を検出する閾値を示す。
【０００６】
尚、ＢＣＡ読み取り時はＲＦ信号の欠落の為にＰＬＬ５０５は位相をロックすることができず、ＣＬＶ制御回路５１１での回転制御はできないためにＣＡＶ制御回路５１０を用いる。
【０００７】
以上のように構成されたバーストカッティングエリア読みとり装置について、以下その動作について説明する。
【０００８】
まず、マイクロコンピュータ５１３は選択回路５１２をＣＡＶ制御回路５１０側に切り換え光ディスク５０１を規定の回転数で回転させる。同時に、マイクロコンピュータ５１３は光ピックアップ送り機構５０３により光ピックアップ５０２をＢＣＡ内に移動する。
【０００９】
次に、光ピックアップ５０２が生成したＲＦ信号はＬＰＦ５１４を通過し、レベル比較回路５１５で検出レベルＡと比較してＲＦ信号欠落部分を検出する。最後に、ＢＣＡ復調回路５１６は規定の周期を基準にＲＦ信号欠落部分間の時間を計測しＢＣＡを復調する。
【特許文献１】特開２０００−１４９４２３号公報
【発明の開示】
【発明が解決しようとする課題】
【００１０】
しかしながら前記従来の構成では、規定の回転数（ＣＡＶ制御により設定される回転数）で機能するようにＬＰＦ５１４の特性とＢＣＡ復調回路５１６の基準周期を設定しているために、回転数検出手段５０９ａを有するモータ５０９およびＣＡＶ制御回路５１０を設ける必要があり、コストアップになってしまう。
【００１１】
また、光ディスクの製造バラツキによりＲＦ信号欠落幅Ｃが狭い場合は、ＬＰＦ５１４通過後のＲＦレベルの変化が小さいために、比較回路５１４での検出が困難であるとの課題もあった。つまり、ＲＦ信号欠落幅Ｃが狭いと、ＬＰＦ５１４通過後の欠落部分の振幅が小さくなり、検出レベルＡで検出できなくなる可能性がある。
【００１２】
本発明は上記問題点に鑑み、ＣＡＶ制御を不要とし、かつ狭い幅で記録されたＢＣＡでも精度の高い読み取りが可能であるバーストカッティングエリア読みとり装置を提供するものである。
【課題を解決するための手段】
【００１３】
前記課題を解決するために本発明のバーストカッティングエリア読みとり装置は、主情報読み取り時は２値信号の位相に同期したクロックを生成し、ＢＣＡ読み取り時は主情報読み取り時の周波数を保持するＰＬＬと、ＢＣＡ読み取り時に前記クロックを基準に２値信号からＲＦ信号欠落部分を検出する時間比較回路と、前記時間比較回路で検出したＲＦ信号欠落部分間の時間を計測し復調するＢＣＡ復調回路とを設けている。
【００１４】
これにより、エンボス領域内でＢＣＡより外周側の位置（以下ＢＣＡ近傍と略する）での主情報読み取り時の回転駆動値とクロック周波数を保持しＢＣＡを読み取ることで、回転数に合ったクロック周波数で検出をするので、精度良くＲＦ信号欠落部分の検出およびＲＦ信号欠落部分間の時間測定をすることができる。
【発明の効果】
【００１５】
以上のように本発明によれば、光ディスクの回転数に合ったクロックを基準にＲＦ信号欠落部分の検出をするので、主情報の最大幅と区別の付き難い程の幅の狭いＲＦ信号欠落部分でも検出を可能にすることができる。
【００１６】
また、光ディスクの回転数に合ったクロックを基準にＲＦ信号欠落部分間の時間を計測をするので、正確な時間の測定を可能にできる。
【００１７】
更に、規定の回転数でなくとも、つまり特定できない回転数であっても、ＲＦ信号欠落部分の検出およびＲＦ信号欠落部分間の時間測定ができるので、回転数検出手段およびＣＡＶ制御回路を不要とすることが可能であり、コストダウンになったり回路構成の簡素化が可能になるという有利な効果が得られる。
【発明を実施するための最良の形態】
【００１８】
本発明の請求項１〜４に記載の発明は、主情報の他にバーストカッティングエリアを有する光ディスクと、前記光ディスクに照射したレーザーの反射光よりＲＦ信号を生成する光ピックアップと、前記ＲＦ信号を一定のレベルと大小比較して「０」と「１」の２値信号に変換する２値化手段と、主情報読み取り時は前記２値信号の位相に同期したクロックを生成しバーストカッティングエリア読み取り時は主情報読み取り時の周波数を保持する位相同期ループ手段と、バーストカッティングエリア読み取り時に前記クロックを基準に前記２値信号からＲＦ信号欠落部分を検出する時間比較手段と、前記時間比較手段で検出したＲＦ信号欠落部分間の時間を計測し復調するバーストカッティングエリア復調手段と、前記位相同期ループ手段の周波数を主情報読み取り時は保持解除しバーストカッティングエリア読み取り時は保持させる指示を出す制御手段とを備えるものであり、これにより、ＢＣＡ近傍での主情報読み取り時の回転駆動値とクロック周波数を保持しＢＣＡを読み取ることで、回転数に合ったクロック周波数で検出をするので、精度良くＲＦ信号欠落部分の検出およびＲＦ信号欠落部分間の時間測定をすることができる。
【００１９】
以下に、本発明の実施の形態について、図１から図４を用いて説明する。
【００２０】
（実施の形態１）
図１は本発明の実施の形態１におけるバーストカッティングエリア読みとり装置のブロック図を示すものである。図１において、１０１は主情報の他にＢＣＡを有する光ディスク、１０２は光ディスク１０１に照射したレーザーの反射光よりＲＦ信号を生成する光ピックアップ、１０３は光ディスク１０１の半径方向に光ピックアップを移動させる光ピックアップ送り機構、１０４は前記ＲＦ信号を一定のレベルと大小比較して「０」と「１」の２値信号に変換する２値化手段である２値化回路、１０５は主情報読み取り時は前記２値信号の位相に同期したクロックを生成し、かつＢＣＡ読み取り時は主情報読み取り時の周波数を保持する手段を有する位相同期ループ手段であるＰＬＬ、１０６は前記２値信号と前記クロックから主情報を復調する主情報復調手段である主情報復調回路、１０７はＢＣＡ読み取り時に前記クロックを基準に前記２値信号からＲＦ信号欠落部分を検出する時間比較手段である時間比較回路、１０８は時間比較回路１０７で検出したＲＦ信号欠落部分間の時間を前記クロックを基準に計測しＢＣＡを復調するＢＣＡ復調手段であるＢＣＡ復調回路である。
【００２１】
１０９は光ディスク１０１を回転させ、かつ回転数を検出する回転数検出手段１０９ａを有するモータ、１１０はモータ１０９の回転数検出手段１０９ａで検出した回転数を用いて規定の回転数に保つＣＡＶ制御手段であるＣＡＶ制御回路、１１１はＰＬＬ１０５が出力するクロックを用いて規定の線速度に保つＣＬＶ制御手段であるＣＬＶ制御回路、１１２はＣＡＶ制御回路１１０またはＣＬＶ制御回路１１１を選択する選択手段である選択回路、１１３は光ピックアップ送り機構１０３とＰＬＬ１０５の周波数保持手段１０５ａと選択回路１１２に指示を出す制御手段であるマイクロコンピュータである。
【００２２】
また、図２は光ピックアップ１０２が生成するＲＦ信号（図２（ｂ）（ｃ））と、２値化回路１０４がＲＦ信号から変換した２値信号（図２（ｄ））と、ＰＬＬ１０５が生成する前記２値信号の位相に同期したクロック（図２（ｅ））の信号波形であり、検出時間Ｂは時間比較回路１０７がＲＦ信号欠落部分を検出する閾値を示す。
【００２３】
以上のように構成された本実施の形態のバーストカッティングエリア読みとり装置について、以下その動作について説明する。
【００２４】
まず、マイクロコンピュータ１１３は光ピックアップ送り機構１０３により光ピックアップ１０２をＢＣＡ近傍（エンボス領域のＲＦ信号欠落部分がない部分）に移動する。同時に、選択回路１１２をＣＡＶ制御回路１１０側に切り換え、光ディスク１０１を規定の回転数で回転させる。次に、２値化回路１０４は光ピックアップ１０２が光ディスク１０１から読み出したＲＦ信号を２値信号に変換する。この２値信号の位相に同期したクロックをＰＬＬ１０５が生成することで、ＢＣＡ近傍で得られるＲＦ信号の位相に同期したクロック（図２（ｅ））を得ることができる。
【００２５】
次に、マイクロコンピュータ１１３は、ＰＬＬ１０５の周波数保持手段１０５ａでクロック周波数を保持させ、光ピックアップ送り機構１０３により光ピックアップ１０２をＢＣＡ内に移動する。そして、時間比較回路１０７はＰＬＬ１０５が出力するクロックを基準にＲＦ信号欠落部分を検出する。
【００２６】
最後に、ＢＣＡ復調回路１０８はＰＬＬ１０５が出力するクロックを基準にＲＦ信号欠落部分間の時間を計測し、ＢＣＡを復調する。
【００２７】
尚、エンボス領域内でＢＣＡ以外の位置に記録された主情報の読み取り動作では、ＰＬＬ１０５は周波数を保持させずにクロックを出力し、選択回路１１２はＣＬＶ制御回路１１１側に切り換え、前記クロックを基準に光ディスク１０１を回転制御する。そして、主情報復調回路１０６は前記クロックと２値化回路１０４が出力する２値信号より主情報を復調する。
【００２８】
以上のように本実施形態によれば、光ディスクの回転数に合ったクロックを基準にＲＦ信号欠落部分の検出をするので、主情報の最大幅に近い幅の狭いＲＦ信号欠落部分でも検出を可能にすることができる。
【００２９】
また、光ディスク１０１の回転数に合ったクロックを基準にＲＦ信号欠落部分間の時間を計測をするので、正確な時間の測定を可能にできる。
【００３０】
つまり、光ディスク１０１の回転数が第１の回転数（例えば１８００ｒｐｍ）であっても第２の回転数（例えば２２００ｒｐｍ）であっても、それぞれの回転数に応じてＰＬＬ１０５でクロック（図２（ｅ））が生成される。そのクロックを基準に２値信号（図２（ｄ））と比較を行い、２値信号の「０」期間が検出時間Ｂよりも長い場合はＲＦ欠落部分であると判断するので、光ディスク１０１の回転数が第１の回転数であっても第２の回転数であっても、正確にＲＦ欠落部分の検出を行うことができる。
【００３１】
（実施の形態２）
図３は本発明の実施の形態２におけるバーストカッティングエリア読みとり装置のブロック図を示すものである。図３において、３０１から３０８は図１の１０１から１０８に対応し、同一名称は同一機能を意味する。そして、３０９は光ディスク３０１を回転させるモータ、３１１は主情報読み取り時は光ピックアップ３０２が線速度一定で光ディスク３０１から読み出すようにＰＬＬ３０５のクロックよりモータ駆動信号を生成し、かつＢＣＡ読み取り時は主情報読み取り時の駆動値を保持する駆動信号保持手段３１１ａを有するＣＬＶ制御回路、３１３はピックアップ送り機構３０３とＰＬＬ３０５の周波数保持手段とＣＬＶ制御回路３１１の駆動信号保持手段に指示を出すマイクロコンピュータである。
【００３２】
以上のように構成された本実施の形態のバーストカッティングエリア読みとり装置について、以下その動作について説明する。
【００３３】
まず、マイクロコンピュータ３１３は光ピックアップ送り機構３０３により光ピックアップ３０２をＢＣＡ近傍に移動する。また、ＣＬＶ制御回路３１１の駆動保持手段３１１ａは保持を停止させ、ＰＬＬ３０５のクロックにより回転を制御して規定の線速度にする。これによりＰＬＬ１０５はＢＣＡ近傍で得られるＲＦ信号の位相に同期したクロックを生成する。
【００３４】
次に、マイクロコンピュータ３１３はＰＬＬ３０５の周波数保持手段３０５ａでクロック周波数を保持させ、同時にＣＬＶ制御回路３１１の駆動信号保持手段３１１ａで駆動信号を保持させ、その後に光ピックアップ送り機構３０３により光ピックアップ３０２をＢＣＡ内に移動する。そして、時間比較回路３０７はＰＬＬ３０５が出力するクロックを基準にＲＦ信号欠落部分を検出する。
【００３５】
最後に、ＢＣＡ復調回路３０８はＰＬＬ３０５が出力するクロックを基準にＲＦ信号欠落部分間の時間を計測しＢＣＡを復調する。
【００３６】
以上のように本実施形態によれば、光ディスクの回転数に合ったクロックを基準にＲＦ信号欠落部分の検出をし、またＲＦ信号欠落部分間の時間を計測すので、回転検出手段およびＣＡＶ制御回路を不要にすることが可能である。
【００３７】
（実施の形態３）
図４は本発明の実施の形態３におけるバーストカッティングエリア読みとり装置のブロック図を示すものである。図４において、４０１から４０８と４１１から４１３は図１の１０１から１０８と１１１から１１３に対応し、同一名称は同一機能を意味する。そして、４０９は光ディスク４０１を回転させるモータ、４１０は主情報読み取り時およびＢＣＡ読み取り時は、光ディスク４０１の回転数を特定はできないが規定範囲以内となる固定駆動値を出力する固定信号発生回路である。
【００３８】
以上のように構成されたバーストカッティングエリア読みとり装置について、以下その動作について説明する。
【００３９】
まず、マイクロコンピュータ４１３は光ピックアップ送り機構４０３により光ピックアップ４０２をＢＣＡ近傍に移動する。同時に、選択回路４１２を固定信号発生回路４１０側に切り換え光ディスク４０１を特定はできないが規定範囲以内となる回転数で回転させる。これによりＰＬＬ１０５はＢＣＡ近傍で得られるＲＦ信号の位相と同期したクロックを生成する。
【００４０】
次に、マイクロコンピュータ４１３はＰＬＬ４０５の周波数保持手段４０５ａでクロック周波数を保持させ、光ピックアップ送り機構４０３により光ピックアップ４０２をＢＣＡ内に移動する。そして、時間比較回路４０７はＰＬＬ４０５が出力するクロックを基準にＲＦ信号欠落部分を検出する。
【００４１】
最後に、ＢＣＡ復調回路４０８はＰＬＬ４０５が出力するクロックを基準にＲＦ信号欠落部分間の時間を計測しＢＣＡを復調する。
【００４２】
以上のように本実施形態によれば、光ディスクの回転数は特定できなくとも、回転数に合ったクロックを基準にＲＦ信号欠落部分の検出をし、またＲＦ信号欠落部分間の時間を計測すのでの、回転検出手段およびＣＡＶ制御回路を不要にすることが可能である。
【００４３】
（実施の形態４）
実施の形態１から３において、ＢＣＡ読み取り時のクロック周波数はＢＣＡ近傍でのクロック周波数と同一のものを使用した。本発明の実施の形態４では、前記マイクロコンピュータは、主情報読み取り時の前記クロック周波数を検出し、主情報読み取り時とＢＣＡ読み取り時の前記光ディスクの半径位置の関係からＢＣＡ位置でのクロック周波数を算出し、前記ＰＬＬが保持するクロック周波数として指定する機能も併せて有する。
【００４４】
以上のように本実施形態によれば、光ディスクの回転数に合った、より正確な周波数のクロックを基準に、ＲＦ信号欠落部分の検出およびＲＦ信号欠落部分間の時間の計測をすることができる。
【産業上の利用可能性】
【００４５】
本発明は、主情報の他にバーストカッティングエリア（以下ＢＣＡと略する）が付加された光ディスクからＢＣＡを読み出すバーストカッティングエリア読みとり装置に関するものであり、ＢＣＡが記録された記録媒体であればどのような機器に利用して有効なものである。
【図面の簡単な説明】
【００４６】
【図１】本発明の実施の形態１におけるバーストカッティングエリア読みとり装置のブロック図
【図２】本発明の実施の形態１におけるバーストカッティングエリア読みとり装置の信号波形図
【図３】本発明の実施の形態２におけるバーストカッティングエリア読みとり装置のブロック図
【図４】本発明の実施の形態３におけるバーストカッティングエリア読みとり装置のブロック図
【図５】従来のバーストカッティングエリア読みとり装置のブロック図
【図６】従来のバーストカッティングエリア読みとり装置のブロック図
【符号の説明】
【００４７】
１０１    光ディスク
１０２    光ピックアップ
１０３    光ピックアップ送り機構
１０４    ２値化回路
１０５    ＰＬＬ
１０６    主情報復調回路
１０７    時間比較回路
１０８    ＢＣＡ復調回路
１０９    モータ
１１０    ＣＡＶ制御回路
１１１    ＣＬＶ制御回路
１１２    選択回路
１１３    マイクロコンピュータ
３０１    光ディスク
３０２    光ピックアップ
３０３    光ピックアップ送り機構
３０４    ２値化回路
３０５    ＰＬＬ
３０６    主情報復調回路
３０７    時間比較回路
３０８    ＢＣＡ復調回路
３０９    モータ
３１１    ＣＬＶ制御回路
３１３    マイクロコンピュータ
４０１    光ディスク
４０２    光ピックアップ
４０３    光ピックアップ送り機構
４０４    ２値化回路
４０５    ＰＬＬ
４０６    主情報復調回路
４０７    時間比較回路
４０８    ＢＣＡ復調回路
４０９    モータ
４１０    固定信号発生回路
４１１    ＣＬＶ制御回路
４１２    選択回路
４１３    マイクロコンピュータ
【図１】
2005032391.tif 000003
【図２】
2005032391.tif 000004
【図３】
2005032391.tif 000005
【図４】
2005032391.tif 000006
【図５】
2005032391.tif 000007
【図６】
2005032391.tif 000008